(57)【特許請求の範囲】
【請求項１】
熱可塑性プラスチック材料で構成され、表面にウエハを支持する複数の突起部を有し、
前記熱可塑性プラスチック材料がポリエーテルエーテルケトン（PEEK）であり、更に、前記PEEKには４重量％〜５重量％のカーボンナノチューブが含有され、下記の工程により製作されることを特徴とするウエハ吸着板の製作方法。
（１）前記熱可塑性プラスチック材料から構成される、突起部原型を有するウエハ吸着原板を製作する工程と、
（２）前記ウエハ吸着原板を予め230℃近辺までプリヒートした上で、加圧力約250 KN、上金型温度約230℃、下金型温度約230℃でナノインプリントすることにより当該ウエハ吸着原板の前記突起部原型を精細突起部に成形して前記ウエハ吸着板を製作する工程。
【請求項２】
熱可塑性プラスチック材料で構成され、表面にウエハを支持する複数の突起部を有し、
前記熱可塑性プラスチック材料がポリエーテルエーテルケトン（PEEK）であり、更に、当該PEEKには４重量％〜５重量％のカーボンナノチューブが含有され、下記の工程により製作されることを特徴とするウエハ吸着板の製作方法。
（１）前記熱可塑性プラスチック材料から構成される平板を予め230℃近辺までプリヒートした上で、加圧力約250 KN、上金型温度約230℃、下金型温度約230℃でナノインプリントすることにより、当該平板の表面に精細突起部を成形する工程と、
（２）射出成形により成形されたウエハ吸着原板に、表面に精細突起部が成形された前記平板を固定することにより前記ウエハ吸着板を製作する工程。
【請求項３】
前記ウエハ吸着原板を製作する工程が、前記ウエハ吸着板の固定部材を配置した金型に、前記熱可塑性プラスチック材料を注入して、前記固定部材と一体化された前記ウエハ吸着原板を製作する工程からなり、更に、前記ナノインプリントにより前記精細突起部を成形したあとの、前記ウエハ吸着板の前記固定部材を切削することにより、当該固定部材の基準面から当該ウエハ吸着板の前記精細突起部の最上部までの寸法を所定の寸法に調整することを特徴とする請求項１に記載のウエハ吸着板の製作方法。
【請求項４】
前記ウエハ吸着原板あるいは前記平板をナノインプリントする工程が、処理時間６分、冷却時間３分でナノインプリントする工程であることを特徴とする請求項１〜３のいずれか１項に記載のウエハ吸着板の製作方法。
【請求項５】
前記固定部材が、前記吸着板をウエハ回転装置等に取り付けるための部材であり、金属あるいは金属と同等の硬さを有する部材からなることを特徴とする請求項３に記載のウエハ吸着板の製作方法。
【請求項６】
ウエハを吸着する面に複数の突起部を有するウエハ吸着板であって、当該ウエハ吸着板が、熱可塑性プラスチック材料から構成されるウエハ吸着原板を予め230℃近辺までプリヒートした上で、加圧力約250 KN、上金型温度約230℃、下金型温度約230℃でナノインプリントしたことにより成形された精細突起部を有し、前記熱可塑性プラスチック材料がポリエーテルエーテルケトン（PEEK）であり、更に、前記PEEKには４重量％〜５重量％のカーボンナノチューブが含有されていることを特徴とするウエハ吸着板。
【請求項７】
ウエハを吸着する面に複数の突起部を有するウエハ吸着板であって、当該ウエハ吸着板が、射出成形により成形されたウエハ吸着原板と、熱可塑性プラスチック材料から構成される平板とを有し、当該平板は、これを予め230℃近辺までプリヒートした上で、加圧力約250 KN、上金型温度約230℃、下金型温度約230℃でナノインプリントしたことにより成形された精細突起部を有し、当該平板が前記ウエハ吸着原板に固定されており、前記熱可塑性プラスチック材料がポリエーテルエーテルケトン（PEEK）であり、更に、前記PEEKには４重量％〜５重量％のカーボンナノチューブが含有されていることを特徴とするウエハ吸着板。
【請求項８】
前記吸着板が円盤状の吸着板であって、前記突起部が約60°の傾斜を有する溝の壁で構成され、当該溝が前記ウエハ吸着板の吸着面にほぼ同心円状に形成されていることを特徴とする請求項６又は７に記載のウエハ吸着板。
【発明の詳細な説明】
【技術分野】
【０００１】
本発明は、半導体製造プロセスに用いられるウエハ吸着板に関する。
半導体製造プロセスにおいては、ウエハを吸着板に真空吸着した状態で、ウエハ上へのコーティング、ウエハの洗浄、エッチング、めっき等の各種作業が実施される。
例えば、ウエハをウエハ吸着板に吸着した状態で高速回転させ、このウエハ上にフォトレジストを垂らして、この材料を薄く延ばして膜を形成するスピンコーティングと呼ばれる工程がある。
【背景技術】
【０００２】
半導体製造技術の向上に伴い、ウエハに転写される回路線幅が微細化され、直径200 mmのウエハでは、回路線幅が130 nm程度であったものが、直径300 mmのウエハでは、回路線幅が90 nm、65 nm程度まで微細化されている。それに従って、許容されるパーティクル（塵埃）の大きさも小さくなっている。
また、ウエハが大きくなるにつれて、そのウエハ吸着板に対する吸着性能の向上も要求されることとなり、ウエハを支える吸着板の、突起部の高さの許容誤差（ばらつき）も小さくなってきている。本発明は、このような状況の下でなされたものである。
【０００３】
特許文献１には、ウエハＷをスピンチャック２に吸着させて回転させ、基板中央から基板上にフォトレジストを滴下して、ウエハＷにレジストコーティングをする、ウエハ吸着板の一つの利用態様が示されている（特許文献１の図１）。
【０００４】
特許文献２には、平坦度を高めた真空チャック用吸着板が紹介されている。多数の透孔を有する多孔質体で形成されたウエハ吸着板の吸着面側を、フライス用カッタで平面切削して吸着面１ａを形成する工程が示されている。この場合、切削は、荒切削、中切削、及び仕上切削からなる方法が紹介されている。この３段階の切削により、切削面にある透孔部分に発生するバリの大きさを徐々に小さくできると記載されている。
【０００５】
また特許文献３には、プラスチック多孔質体で構成される、直径65 mm程度の直径の円盤形状をした真空チャック部２が提案されている。本真空チャック部には真空吸引室８が設けられている（特許文献３の図１）。
この真空吸引室８は、複数列の同心円状の溝11と、これらの溝に放射状に交叉する複数の溝12からなっている。なお、同心円状の溝11の深さは20 mm程度、溝幅４mm程度、溝ピッチは８mm程度であると記載されている。
【特許文献１】特開2007-115907
【特許文献２】特開平8-47835
【特許文献３】特開平5-293733
【発明の開示】
【発明が解決しようとする課題】
【０００６】
ウエハ吸着板として、例えば、熱可塑性プラスチックを射出成形することにより成形された円盤形状をしたウエハ吸着板であって、そのウエハ吸着面に同心円状に複数の溝部を設けたものが使用されている。
これら同心円状に設けられた溝には、放射状に交叉する形で別の溝が設けられている。同心円状の溝及びこれに交叉する溝は真空吸引する為の通気穴を構成する。
すなわち、円盤形状の中央部あるいは円盤形状の複数箇所に設けられた孔に真空吸引装置を連結し、ウエハ吸着板にウエハを載置した後、真空吸引を行うことによりウエハをウエハ吸着板に吸着させる。
ウエハは、ウエハ吸着板の上に載置して吸着する方法だけでなく、ウエハ上部からウエハ吸着板で吸引、吸着する方法もある。
【０００７】
ウエハを吸着させた状態でウエハ吸着板共々回転させ、ウエハ上へのコーティング、ウエハの洗浄、エッチング、めっき等の各種作業が実施される。
上述したレジストコーティング作業においては、ウエハ吸着板（スピンチャックとも呼ぶ）でウエハを真空吸着した状態で、約3000回転/分させてレジストコーティング作業を行う。
ウエハが平坦な状態で吸着されないと、ウエハ上に形成される薄膜の厚さが不均一になる。薄膜の厚さが不均一となると、製造される半導体集積回路のばらつきが大きくなり製品歩留が低下する。
【０００８】
昨今、生産されるウエハのサイズは200 mmから300 mmと大きくなり、それに伴ってウエハ吸着板の吸着性能の向上が要請されている。ウエハ吸着板によるウエハ吸着性能を向上させるためには、ウエハ吸着面に設けられた溝の壁（突起部）の頂点、すなわちウエハを支持する部分の平坦度が求められる。
ウエハ吸着板の上の突起部の高さにばらつきがあると、ウエハとウエハ吸着板の間に隙間を生じることによりウエハ吸着性能が落ちることとなる。現在要求されているウエハ吸着面の突起部の、頂点の高さの許容ばらつきは±20μｍ以下である。
【０００９】
この要求される精度を出す為に従来技術においては、熱可塑性プラスチックを射出成形してウエハ吸着板を成形したあと、成形されたウエハ吸着板の表面突起部（すなわち溝部の壁）の頂点を、切削加工等により所定の高さにそろえる作業が行われている。
一方、上述したように半導体製造技術の向上に伴いウエハに転写される回路線幅が微細化され、直径300 mmのウエハでは回路線幅が90 nm、65 nm程度まで微細化されている。それに従って、許容されるパーティクル（塵埃）の大きさも小さくなってきている。
【００１０】
ウエハ吸着板の突起部の高さのばらつきを少なくするために、機械加工等により所定の寸法に切削すると、その切削屑あるいは切削工具の微粒子が吸着板に付着する。その結果、ウエハの製造工程においてこれら微細な切削屑、切削工具の微粒子がパーティクルとして舞い上がり、ウエハの表面及び裏面に付着し、半導体製造工程の次工程での汚染原因となる。
また、切削したウエハ吸着面は切削により表面が荒れている為に、研磨、洗浄作業が必要となる。従ってウエハ吸着板の製造工程が複雑となる。
【課題を解決するための手段】
【００１１】
上記課題を解決するために、発明者は以下の工程からなるウエハ吸着板の製作方法を発明した。すなわち、
（１）ウエハを支持する突起部原型を有する熱可塑性プラスチックからなるウエハ吸着原板を、射出成形等により製作し、
（２）次に、このウエハ吸着原板を更にナノインプリントすることにより、突起部原型を精細突起部に成形する。
ここで、ナノインプリントとは原板を基板に押し当てることで、微細加工を実現する技術である。例えば、100 nm以下の線幅のパターンを基板に転写することができると言われている。
通常、ナノインプリントによりパターン転写する際に原板を基板に押し当てて、基板にパターン成形を施す深さは約10 nm程度である。
【００１２】
本発明は、具体的には以下の工程により実施される。
本発明の第１の実施態様は、熱可塑性プラスチック材料で構成され、表面にウエハを支持する複数の突起部を有し、下記の工程により製作されることを特徴とするウエハ吸着板の製作方法である。
（１）前記熱可塑性プラスチック材料から構成される、突起部原型を有するウエハ吸着原板を製作する工程と、
（２）前記ウエハ吸着原板を、更にナノインプリントすることにより当該ウエハ吸着原板の前記突起部原型を精細突起部に成形して前記ウエハ吸着板を製作する工程。
【００１３】
本発明の第２の実施態様は、熱可塑性プラスチック材料で構成され、表面にウエハを支持する複数の突起部を有し、下記の工程により製作されることを特徴とするウエハ吸着板の製作方法である。
（１）前記熱可塑性プラスチック材料から構成される平板をナノインプリントすることにより、当該平板の表面に精細突起部を成形する工程と、
（２）射出成形により成形されたウエハ吸着板に、表面に精細突起部が成形された前記平板を固定することにより前記ウエハ吸着板を製作する工程。
【００１４】
本発明の第３の実施態様は、前記熱可塑性プラスチック材料がポリエーテルエーテルケトン（PEEK）であり、更に、当該PEEKにはカーボンナノチューブが含有されていることを特徴とするウエハ吸着板の製作方法である。
【００１５】
本発明の第４の実施態様は、前記PEEKには、４重量％〜５重量％のカーボンナノチューブが含有されていることを特徴とするウエハ吸着板の製作方法である。
【００１６】
本発明の第５の実施態様は、前記ウエハ吸着原板を製作する工程が、前記ウエハ吸着板の固定部材を配置した金型に、前記熱可塑性プラスチック材料を注入して、前記固定部材と一体化された前記ウエハ吸着原板を製作する工程からなり、更に、前記ナノインプリントにより前記精細突起部を成形したあとの、前記ウエハ吸着板の前記固定部材を切削することにより、当該固定部材の基準面から当該ウエハ吸着板の前記精細突起部の最上部までの寸法を所定の寸法に調整することを特徴とするウエハ吸着板の製作方法である。
【００１７】
本発明の第６の実施態様は、前記ウエハ吸着原板あるいは前記平板をナノインプリントする工程が、当該吸着原板あるいは当該平板を予め230℃近辺までプリヒートした上で、加圧力約250 KN、上金型温度約230℃、下金型温度約230℃でナノインプリントする工程であることを特徴とするウエハ吸着板の製作方法である。
【００１８】
本発明の第７の実施態様は、前記ウエハ吸着原板あるいは前記平板をナノインプリントする工程が、処理時間６分、冷却時間３分でナノインプリントする工程であることを特徴とするウエハ吸着板の製作方法である。
【００１９】
本発明の第８の実施態様は、前記固定部材が、前記吸着板をウエハ回転装置等に取り付けるための部材であり、金属あるいは金属と同等の硬さを有する部材からなることを特徴とするウエハ吸着板の製作方法である。
【００２０】
本発明の第９の実施態様は、ウエハを吸着する面に複数の突起部を有するウエハ吸着板であって、当該ウエハ吸着板が、熱可塑性プラスチック材料から構成されるウエハ吸着原板を、更にナノインプリントしたことにより成形された精細突起部を有していることを特徴とするウエハ吸着板である。
【００２１】
本発明の第１０の実施態様は、ウエハを吸着する面に複数の突起部を有するウエハ吸着板であって、当該ウエハ吸着板が、熱可塑性プラスチック材料から構成される平板に、ナノインプリントにより成形された精細突起部を有し、当該平板が前記ウエハ吸着板に固定されていることを特徴とするウエハ吸着板である。
【００２２】
本発明の第１１の実施態様は、前記熱可塑性プラスチック材料がポリエーテルエーテルケトン（PEEK）であり、更に、当該PEEKにはカーボンナノチューブが含有されていることを特徴とするウエハ吸着板である。
【００２３】
本発明の第１２の実施態様は、前記PEEKには、４重量％〜５重量％のカーボンナノチューブが含有されていることを特徴とするウエハ吸着板である。
【００２４】
本発明の第１３の実施態様は、前記吸着板が円盤状の吸着板であって、前記突起部が約60°の傾斜を有する溝の壁で構成され、当該溝が前記ウエハ吸着板の吸着面にほぼ同心円状に形成されていることを特徴とするウエハ吸着板である。
【発明の効果】
【００２５】
本発明によれば、ナノインプリントによりウエハ吸着面に精細突起部が成形される。
ナノインプリントにより精細突起部が成形されることにより、切削作業等をすることなく突起部高さのばらつきを抑えることができるので、以下の効果を発揮することができる。すなわち、
（１）ウエハ吸着面の突起部高さのばらつきを、切削作業をすることなく±20μｍ以下とすることができる。
（２）ウエハ吸着面の突起部高さを調整する為の機械切削作業が不要となり、ウエハ吸着板の製造工程が簡略化される。
（３）機械切削したウエハ吸着面を研磨する作業が不要となり、ウエハ吸着板の製造工程が簡略化される。
（４）ウエハ吸着面の切削屑等によるパーティクルの発生、ウエハ表面あるいは裏面へのパーティクルの付着を防止することができる。
それに伴って、ウエハ吸着板の吸着性能を高め、ウエハ吸着板製作工程の作業効率の向上が図れる。
【発明を実施するための最良の形態】
【００２６】
本発明者は、以下の手段によって上述した問題を解決した。
すなわち、ウエハ回転装置に連結するための固定部材を金型内に配置した後、熱可塑性プラスチック材料を金型内に注入し、射出成形により固定部材と一体化されたウエハ吸着板の原型（以下、ウエハ吸着原板と呼ぶ）を成形した。
このウエハ吸着原板の吸着面すなわちウエハと接触する部分には、上述した射出成形により同心円状の溝部が成形される。
【００２７】
溝部の壁の頂点がウエハと接触してウエハを支持する。溝部はウエハを真空吸着する為の通気穴を構成する。同心円状に設けられた溝部にはこれと交叉する形で放射線状に別の溝部が成形されている。同じく真空吸着する為の通気穴を構成する。
ウエハ吸着板の中央部あるいは複数箇所に、吸引する為の吸引孔が設けられている。この吸引孔は吸引装置に連結され、吸着板の上に載置されたウエハを吸引、吸着する。
【００２８】
熱可塑性プラスチック材料としては、特にポリエーテルエーテルケトン（PEEK）が好適である。融点が高く、低温から高温まで広範囲の温度領域でその強度を発揮することができる。PEEKは約300℃の高温に耐えられ、優れた耐熱性を有する。収縮率が少なく、成形された製品の寸法が安定する。また、濃硫酸以外のほとんどの薬品に優れた耐薬品性を有する。
【００２９】
ウエハ吸着板は、ウエハが帯電することを防ぐために導電性を有する必要があり、炭素材料を熱可塑性プラスチックに含有させることが行われている。本発明では、通常の炭素材料の代わりにカーボンナノチューブを含有させた熱可塑性プラスチックをウエハ吸着板の材料として採用するのが好適である。
一般の炭素材料に比べて高い導電性を有し、導電性の調整も容易である。また、ナノインプリントした時の転写される形状の細密度も向上することが期待できる。
【００３０】
例えば、フォトレジストコーディング工程において、帯電した静電気の減衰時間を適正にするためには、ウエハ吸着板の表面抵抗は104Ω〜106Ωの範囲が望ましい。この表面抵抗を実現するためには、カーボンナノチューブの含有量は４％〜５％（重量％）が好ましい。
【００３１】
(実施例１)
本発明の一つの実施態様について以下、図を用いて説明する。
図１（ａ）は、本発明の実施例の一つであるウエハ吸着板３の断面図である。固定部材５と吸着板３は、熱可塑性プラスチックの射出成形によって一体化されている。ウエハ吸着板の固定部材５は金属材料で構成され、図示しないウエハ（あるいはウエハ吸着板）回転装置と連結される。
ウエハ吸着板の吸着面２上に図示しないウエハを載置して吸着する。
【００３２】
図１（ｂ）はそのウエハ吸着板のウエハ吸着面２を上から見た平面図である。
本実施例による、ウエハ吸着板は円盤形状の吸着板であり、その直径は約80 mm、高さも約80 mmである。ウエハ吸着面２には、図１（ｂ）に示すように同心円状の溝が形成されている。この溝には、放射線状に交叉する形で別の溝が図中位置番号４と10を結ぶ線上に形成されている。
吸着面２の一部を、図２（ａ）（ｂ）に示す。図２（ａ）は、図１（ａ）のＡ部を拡大表示したものである。図２（ａ）（ｂ）に示すように、本実施例では溝の壁９は角度約60度の楔型となっている。楔形の壁と壁の間隔、すなわち溝の底部７の幅は約３mmである。
【００３３】
図１（ｂ）に示す、縁部、溝部の内、１〜30までの番号は、縁部（１〜12）及び壁部の頂点（13〜30）の高さ測定場所を示す。これらの測定点での高さを測定し、そのばらつきが所定の数値以内になるようにウエハ吸着板は製作される。
図１（ｂ）に示すように、本実施例では溝は同心円状に計３本設けられている。位置番号でいうと、13、18、19等で示す溝が、一番外側の溝、14、17、20等で示す溝が中の溝、そして15、16、21等で示す溝が、一番内側の溝である。それぞれの溝の間隔は約８mmである。
【００３４】
吸着面の外周部には、図２（ａ）に示す縁部８が設けられている。図２（ａ）のＢ部の拡大図が、図２（ｂ）である。すなわち溝の壁９の拡大図である。溝の壁９の最上部には平らな頂点10が設けられている。
この縁部８及び壁の頂点（突起部頂点）10でウエハを支えるために、これらの高さのばらつきがウエハ吸着板の吸着性能に影響する。
【００３５】
溝の本数、間隔、溝の底部７の幅、壁９の形状等は、吸着するウエハの大きさ、材質等により決定される。また、本実施例は、円盤形状のウエハ吸着板であるが、吸着板の形状は円盤形状に限定されるものではなく、正方形、長方形など、製作するウエハに適した形状のウエハ吸着板であってもよい。
本実施例では、吸着板の形状が円盤状であるために、溝部は同心円状に形成されているが、溝部の形状は同心円形状に限らず、渦巻状等他の形状でも良い。
吸着板の形状が正方形、あるいは長方形である場合には、その形状に応じて、様々な形状の溝部を形成することが可能である。
【００３６】
要はウエハを支持することが出来、真空状態を作り出せる通気穴が形成されるものであれば、どのようなものであっても良い。ウエハ吸着板の吸着性能を決めるのはウエハを支持する突起部の高さのばらつきであり、これが所定の範囲内に収まるものであれば適宜決めることができる。
【００３７】
図３（ａ）（ｂ）（ｃ）に、本実施例によるウエハ吸着板の突起部頂点の高さ測定方法を示す。
図３（ａ）は、本実施例の一つである円盤形状のウエハ吸着板３に、吸引するウエハ１を載置した様子（側面図）を示す。ウエハ吸着板３の下部には、射出成形によって一体化された固定部材５が設けられている。この固定部材が図示しないウエハ吸着板回転装置に連結される。通常、この固定部材は金属で構成されるが、セラミックスなど金属と同等の固さを有する他の材料であっても良い。
【００３８】
固定部材５の底面を基準面として、この基準面からウエハ吸着板の突起部頂点までの高さｈを、図１（ｂ）の各点（１〜30）で測定する。基準面は、本実施例では図３（ｃ）に示すように固定部材の底面としているが、場所を特定できるのであれば、固定部材の底面に限る必要はなく、例えば、ウエハ吸着板の基準点あるいは溝部７等であってもよい。
【００３９】
図３（ｂ）は、図３（ａ）図のＣ部の拡大図である。上述したように溝の壁９は、本実施例では約60度の楔型形状に成形されている。この壁の頂点と上記基準面との高さｈを測定する。図３（ｃ）は、図３（ａ）図のＤ部の拡大図である。
【００４０】
【表１】
0004980156.tif 000002
【００４１】
表１は、本実施例によるウエハ吸着板の試験品（No１〜８）での試験結果である。各試験品のウエハ吸着原板を製作し、さらにこのウエハ吸着原板を所定の温度に設定した金型によりナノインプリントして、突起部原型を精細突起部に成形する。
いずれも、ウエハ吸着品のサイズは直径約80 mm、高さ約80 mmである。予め試験品を230℃でプリヒートした後、ナノインプリントの加圧力を変え、また上金型、下金型の設定温度を変えて実験した。
【００４２】
ナノインプリントの処理時間は６分、冷却時間は３分で試験した。試験品No.４、５では、下金型の温度を設定しないで（すなわち室温のままで）試験した。
ウエハ吸着板の吸着面２の各部（図１（ｂ））において、図３（ａ）（ｂ）（ｃ）に示す基準面から突起部頂点までの高さｈを測定した。その測定値の最大値と最小値間のばらつきを測定した。
なお、ナノインプリント前の突起部の高さと、ナノインプリント後の突起部の高さの違いは概ね0.05〜0.15 mmであった。すなわち、ナノインプリントにより、ウエハ吸着板の突起部頂点は、0.05〜0.15 mm程度圧縮された。
【００４３】
試験品１、２では、金型温度を同じ条件としてナノインプリントの加圧力を150 KNから200 KNに変化させた。その結果、測定点１〜30における基準面から突起部頂点までの高さｈの最大値と最小値のばらつきは0.46 mm〜0.62 mmであった。
試験品３〜５では、ナノインプリント加圧力を250 KNとして、上金型の温度を230℃、下金型の温度を200℃及び室温（温度設定せず）変えて試験した。その結果、0.76 mm〜0.93 mmのばらつきが生じた。下金型の温度設定がナノインプリント後の突起部の高さのばらつきに影響することが判明した。
【００４４】
試験品６〜８では、ナノインプリント加圧力を250 KNとして上金型、下金型共に設定温度を230℃としたところ、そのばらつきは0.02 mm〜0.07 mmに収まる事が分かった。
以上の実験結果より、予めウエハ吸着面に溝（突起）を射出成形しプリヒートしたウエハ吸着原板を、加圧力を250 KN近辺、上金型、下金型共に設定温度を約230℃、ナノインプリント処理時間６分、冷却時間３分としたときに突起部高さのばらつきが0.02 mm〜0.07 mm以内となる、ウエハ吸着板が製作できることがわかった。
【００４５】
なお、ウエハ吸着板の実際の製作においては、ウエハ吸着板の突起部の高さのばらつきを少なくすると同時に、ウエハ吸着板を正確に水平にウエハ回転装置に装着する必要がある。
そのため、上記ウエハ吸着板をナノインプリントにて製作した後で、ウエハ吸着板の固定部材を水平に切削加工する必要がある。
すなわち、ウエハ吸着板の固定部材５の底面を切削することにより、固定部材の基準面からウエハ吸着板の精細突起部の最上部までの寸法を所定の寸法に調整する。
【００４６】
（実施例２）
上記実施の態様に於いては、まずウエハを支持する突起部原型を有する熱可塑性プラスチックからなるウエハ吸着原板を射出成形等により製作し、その後、このウエハ吸着原板を更にナノインプリントすることにより突起部原型を精細突起部に成形する方法でウエハ吸着板を製造したが、その他の製造方法も可能である。
すなわち、平板にナノインプリントにより直接精細突起部を成形し、この平板をウエハ吸着板の表面に固定する方法である。
【００４７】
具体的には、図１に示すウエハ吸着面２とほぼ同等の半径を有する熱可塑性プラスチック材料から構成される平板（すなわち厚さが均等な平らな板）を、ナノインプリントすることにより平板の上面に所定の精細突起部を成形し、この精細突起部が成形された平板を、射出成形によって成形されたウエハ吸着板の表面に接着剤等により固定する。
本実施例２によるウエハ吸着板の製造方法によれば、平板の下面が平面であるため、ナノインプリントにより平板の上面に精細突起部を成形する際、平板に均等に圧力を加えることができるという利点がある。
【図面の簡単な説明】
【００４８】
【図１】図１（ａ）は、本発明の実施例のウエハ吸着板の側面図である。図１（ｂ）は、ウエハ吸着板を上から見た平面図である。
【図２】図２（ａ）は、ウエハ吸着板の図１（ａ）のＡ部の拡大側面図である。図２（ｂ）は、図２（ａ）のＢ部の拡大側面図である。
【図３】図３は、本発明の実施例のウエハ吸着板における、基準面からの高さｈを測定する方法を説明する図（側面図）である。図３（ａ）は、ウエハを載置した状態のウエハ吸着板の図（側面図）である。図３（ｂ）は、図３（ａ）のＣ部の拡大側面図である。図３（ｃ）は、図３（ａ）のＤ部の拡大側面図である。
【符号の説明】
【００４９】
１：ウエハ
２：ウエハ吸着面
３：ウエハ吸着板
５：固定部材
７：ウエハ吸着面の溝
８：ウエハ吸着面の縁
９：溝の壁
10：溝の壁の頂点（突起部頂点）
【図１】
0004980156.tif 000003
【図２】
0004980156.tif 000004
【図３】
0004980156.tif 000005